(57)【要約】【課題】着座面から便座シートが剥がれて便器内に落下し易く、便座の軸支部分に疲労破壊などの損傷が発生し難い便座シート自動敷設装置を提供する。【解決手段】便座が元側座部と先側座部とからなり、使用時に元側座部を水平に出しながら便座シートが吸着された先側座部を回動させて便座を便器上にセットする。使用後は、便座から便座シートを吹き上げ、元側座部を引き戻すとともに先側座部を起立させ、浮上した便座シートを着座面に沿って便器内へ落とす。よって、便座をコンパクトに収納でき、着座面に貼り付いた便座シートでも着座面から剥がれ易く、便座の回動部分が先側座部のみで軽量化し、便座の軸支部分に疲労破壊などが生じ難い。【選択図】図１
2011019844.tif 000002
【特許請求の範囲】
【請求項１】
洋式の便器の便座の着座面に便座シートを敷設し、使用後の該便座シートを前記便器内に落とし込む便座シート自動敷設装置において、
前記便座を塞ぐ便蓋が上端部に軸支された軸受けボックスが、前記便器の後部上に取り付けられ、
前記便蓋には、多数枚の前記便座シートが収納されるシート収納部と、該シート収納部から前記便座シートを前記便座方向へ引き出す引き出し口とが配設され、
前記便座は、前記便器上を往復走行する元側座部と、該元側座部の先端部に、前記便座の幅方向へ延びた水平軸を介して回動自在に連結され、かつ着座面に複数の給排気孔が形成された先側座部とを有し、
前記軸受けボックスの下部には、該軸受けボックスの前側の壁に形成された出し入れ口を介して前記元側座部を格納する格納部が形成され、
前記元側座部には、前記出し入れ口を通して前記格納部から前記元側座部を水平に出し入れさせる元側走行手段が設けられ、
前記元側座部の前記出し入れ口からの突出に連動し、前記水平軸を中心にして前記先側座部を前記便蓋に当接するまで回動させるとともに、前記元側座部の前記格納部への格納に連動し、前記水平軸を中心にして前記先側座部を前記便器に当接するまで回動させる先側回動手段が、前記元側座部に設けられ、
前記先側座部の各給排気孔の形成部には、吸引力または空気の吹き出し力で、前記引き出し口を通して前記シート収納部内の前記便座シートを前記着座面に吸着、または、前記便座シートを前記着座面から離脱させるシート着脱手段が設けられた便座シート自動敷設装置。
【発明の詳細な説明】
【技術分野】
【０００１】
この発明は便座シート自動敷設装置、詳しくは使い捨ての便座シートを自動的に便座にセッティング可能な便座シート自動敷設装置に関する。
【背景技術】
【０００２】
近年、洋式便器の便座の着座面（表面）に、紙製で使い捨ての便座シートを自動セッティングする便座シート自動敷設装置が開発されている（例えば、特許文献１）。この装置では、便座が軸支された便器の後部上に、便座より大判の便蓋が立設されている。便蓋の裏面（便器側の面）には、多数枚の便座シートを収納可能な押さえカバーが水平軸を中心にして回動自在に設けられている。また、便器には、便器の上面と便蓋の内面との間で、便座を回動させる便座回動手段が設けられている。さらに、便座は便器の上縁面を覆う大判サイズの１枚板で、便座の外辺部には、便座シートの吸引孔が数個形成されている。また、便座の各吸引孔の形成部分には、吸引力または圧縮空気の噴射力で、便座シートを便座の上面に吸着または離脱させるシート着脱手段が設けられている。
【０００３】
使用時には、便座回動手段により便座を便器の上面から便蓋の内面まで上方回動させ、その後、押さえカバー内に収納された便座シートを、各吸引孔を介してシート着脱手段の吸引作用により、便座の着座面に１枚吸着する。次に、便座回動手段の作動により便座を下方回動させ、便座を便器上に戻す。これにより、便座シートが着座位置に自動的にセッティングされる。
使用後は、便座が便器上で水平状態のまま、シート吸着手段により吸引孔から圧縮空気を噴射し、便座シートを便座の表面から吹き上げてこれを便器内に落とし込む。
【先行技術文献】
【特許文献】
【０００４】
【特許文献１】特開２００３−１４４３４９号公報
【発明の概要】
【発明が解決しようとする課題】
【０００５】
しかしながら、特許文献１の便座シート自動敷設装置によれば、このように便座が水平状態のまま、シート吸着手段により吸引孔から圧縮空気を噴射していた。そのため、便座シートが使用者の体重で便座に貼り付いた場合、便座シートを吹き上げて着座面から離反し、これを便器内に落とし込むことは困難であった。
また、便座は便器の開口部を覆うＵ字形状または楕円形状の大判な１枚板で、その分、重量が嵩んでいた。これにより、弁座の回動時、便座の軸支部分に大きな応力が作用し易く、長年にわたる便座の操作により、損傷し易かった。
【０００６】
この発明は、便座をコンパクトに収納でき、便座の着座面に便座シートが貼り付いても、着座面から便座シートが剥がれて便器内に落とし込まれ易く、かつ便座の軸支部分に疲労破壊などが発生し難い耐久性の高い便座シート自動敷設装置を提供することを目的としている。
【課題を解決するための手段】
【０００７】
請求項１に記載の発明は、洋式の便器の便座の着座面に便座シートを敷設し、使用後の該便座シートを前記便器内に落とし込む便座シート自動敷設装置において、前記便座を塞ぐ便蓋が上端部に軸支された軸受けボックスが、前記便器の後部上に取り付けられ、前記便蓋には、多数枚の前記便座シートが収納されるシート収納部と、該シート収納部から前記便座シートを前記便座方向へ引き出す引き出し口とが配設され、前記便座は、前記便器上を往復走行する元側座部と、該元側座部の先端部に、前記便座の幅方向へ延びた水平軸を介して回動自在に連結され、かつ着座面に複数の給排気孔が形成された先側座部とを有し、前記軸受けボックスの下部には、該軸受けボックスの前側の壁に形成された出し入れ口を介して前記元側座部を格納する格納部が形成され、前記元側座部には、前記出し入れ口を通して前記格納部から前記元側座部を水平に出し入れさせる元側走行手段が設けられ、前記元側座部の前記出し入れ口からの突出に連動し、前記水平軸を中心にして前記先側座部を前記便蓋に当接するまで回動させるとともに、前記元側座部の前記格納部への格納に連動し、前記水平軸を中心にして前記先側座部を前記便器に当接するまで回動させる先側回動手段が、前記元側座部に設けられ、前記先側座部の各給排気孔の形成部には、吸引力または空気の吹き出し力で、前記引き出し口を通して前記シート収納部内の前記便座シートを前記着座面に吸着、または、前記便座シートを前記着座面から離脱させるシート着脱手段が設けられた便座シート自動敷設装置である。
【０００８】
請求項１に記載の発明によれば、使用時（排便時）には、シート着脱手段により各給排気孔内を負圧化し、引き出し口を通して、シート収納部内の便座シートのうち、最も引き出し口側の便座シートを、便座の着座面に吸着する。この状態で、元側走行手段により元側座部を出し入れ口から突出させながら、先側回動手段によって先側座部を便器側へ回動させる。これにより、前記着座面に吸着された便座シートが、便器の開口上に水平配置された便座上にセットされる。
【０００９】
使用後には、シート着脱手段を作動して各給排気孔から空気を吹き出し、着座面に吸着された便座シートを吹き上げて着座面から離反させる。この状態のまま、元側走行手段により元側座部を格納部に格納しながら、先側回動手段により先側座部を便蓋に当接するまで回動させる。その途中、前記吹き上げられた便座シートが先側座部の着座面に沿って滑り落ち、便座の内側空間を経て便器内に落とし込まれる。
これにより、便座の着座面に貼り付いた便座シートでも、着座面から便座シートを剥がして便器内に落とし込み易い。しかも、便座をコンパクトに収納でき、また、回動される便座の部分が先側座部のみで軽量化されるため、長期間使用しても、便座の軸支部分に疲労破壊などの損傷が発生し難い。
【００１０】
便座シート自動敷設装置とは、自動で便座シートを便座の着座面に敷設し、使用後、使用済みの便座シートを便器内に廃棄する装置である。
洋式の便器としては、上方に排便用の開口を有し、開口を形成する上縁面の後部に便座の元部が軸支されたものである。なお、便器の前後方向は使用者の便座への着座姿勢を基準とする。着座した使用者の正面方向を便器の前方、着座した使用者の背中方向を便器の後方とする。
【００１１】
便座の形状は、平面視してトライアングル形状（三角形状）、Ｕ字形状、楕円形状などである。そのため、便座の中央部には、便が落下する内側空間が存在する。便器に対する便座と便蓋との軸支は、便器の後部上に設けられた軸受けボックスを介して行われる。
便座シートとしては、例えば紙製の使い捨てタイプのものを採用することができる。
便蓋に対するシート収納部の取り付け位置は、例えば、便蓋の裏面（便座側の面）でも、それとは反対側の表面でもよい。また、便蓋を厚肉なボックス形状とし、その内部をシート収納部としてもよい。
引き出し口の形成位置は、便蓋の裏面にシート収納部を設けた場合、シート収納部の前側の形成壁となる。また、便蓋の表面にシート収納部を設けた場合には便蓋となる。さらに、厚肉でボックス形状の便蓋の内部にシート収納部を設けた場合には、引き出し口は便蓋の便座側の壁となる。引き出し口の形状は、便座シートの形状に応じて適宜変更可能である。例えばＵ字形状、楕円形状、矩形状などである。
【００１２】
先側座部の着座面に形成される給排気孔の形状、形成数、形成位置は任意である。給排気孔は元側の座部の着座面に形成してもよい。
格納部は、軸受けボックスの下部内に形成される。元側座部の出し入れ口（格納部の開口）は、軸受けボックスの便座の開口（排便口）側の面に形成されている。
元側走行手段としては、例えば車輪走行方式でも、送りねじ方式、ベルト（チェーン）送り方式、シリンダ送り方式、リンク送り方式などを採用することができる。
「元側座部の出し入れ口からの突出に連動し、水平軸を中心にして先側座部を便蓋に当接するまで回動させる」とは、出し入れ口を通して元側座部が突出方向へ移動しながら、起立状態であった先側座部が水平状態まで徐々に倒れ込むことをいう。
「元側座部の格納部への格納に連動し、水平軸を中心にして先側座部を便器に当接するまで回動させる」とは、出し入れ口を通して元側座部が格納部へ戻りながら、水平に倒れていた先側座部が略垂直状態まで徐々に起立することをいう。
シート着脱手段としては、例えば、コンプレッサ機能と負圧発生機能とを有する給排気装置と、給排気装置と給排気孔とを連通する連通管とを有したものを採用することができる。給排気装置は、コンプレッサと負圧発生装置とを別体として設けてもよい。
【００１３】
シート収納部は、便蓋の便座側の面とは反対側の面に設けられ、便座の内側空間の形成部分は、元側座部と先側座部とにより２分割され、元側走行手段は、元側座部の先端部に設けられた車輪と、車輪を回転させる走行モータとを有し、先側回動手段は、その回動駆動部として走行モータを兼用し、走行モータの回転力を前記水平軸に伝達することで、先側座部を回動させるようにしてもよい。
【００１４】
シート収納部を便蓋の便座側の面とは反対側の面に設けた場合には、便蓋の便座が当接する面にシート収納部を設けた従来品の場合に比べて、シート収納部を大型化し、多量の便座シートをストックすることができる。しかも、従来品の場合のように、使用者の便座着座時に背中がシート収納部に当接した際の違和感がない。
また、便座の内側空間の形成部分が、元側座部と先側座部とにより２分割されているので、便座をコンパクトに収納でき、かつ、吹き上げられて先側座部の着座面に沿って滑り落ちる便座シートを、確実に便座の内側空間を通して便器内に落とし込むことができる。
さらに、先側回動手段の回動駆動部として元側走行手段の走行モータを採用したので、先側回動手段専用の駆動部が不要となり、省スペース化および低コスト化を図ることができる。
【００１５】
シート収納部を便蓋の便座側の面とは反対側の面に設けたので、便座シートの引き出し口は便蓋に形成される。これにより、便蓋の便座側の面を平坦にすることができる。
「便座の内側空間の形成部分が、元側座部と先側座部とにより２分割される」とは、水平軸を中心にして回動する先側座部だけに便座の内側空間が存在するのではなく、この内側空間が元側座部と先側座部とに２分割されて形成されていることを意味する。
【発明の効果】
【００１６】
請求項１に記載の発明によれば、便座として、元側座部と先側座部とを有したものを採用し、使用時には、元側座部を便座上に引き出しながら、シート着脱手段によって着座面に便座シートが吸着された先側座部を、先側回動手段により回動させて便座を展開する。また、使用後は、シート着脱手段により便座の着座面から便座シートを吹き上げ、この状態で、元側走行手段によって元側座部を格納部に格納する。しかも、格納中に、先側回動手段により先側座部のみを起立させて便蓋に当接させるので、先側座部の起立中、便座から浮上した便座シートが先側座部の着座面に沿って便器内へ落下する。
これにより、便座をコンパクトに収納でき、かつ、便座の着座面に貼り付いた便座シートでも、着座面から便座シートが剥がれて便器内に落下し易い。しかも、便座の回動部分が先側座部のみで軽量化するため、長期間使用しても、便座の軸支部分に疲労破壊などの損傷が発生し難い。
【図面の簡単な説明】
【００１７】
【図１】この発明の実施例１に係る便座シート自動敷設装置が搭載された便器の全体斜視図である。
【図２】この発明の実施例１に係る便座シート自動敷設装置により便座が便器上にセットされた状態を示す一部断面図を含む平面図である。
【図３】この発明の実施例１に係る便座シート自動敷設装置において、便蓋による便器の開口の閉蓋状態を示す横断面図である。
【図４】この発明の実施例１に係る便座シート自動敷設装置のシート収納部を示す要部拡大断面図である。
【図５】この発明の実施例１に係る便座シート自動敷設装置による便座セット状態を示す一部横断面図を含む平面図である。
【図６】この発明の実施例１に係る便座シート自動敷設装置による使用待機状態を示す一部縦断面図を含む側面図である。
【図７】この発明の実施例１に係る便座シート自動敷設装置による便座セット状態を示す一部縦断面図である。
【図８】この発明の実施例１に係る便座シート自動敷設装置による便座シートの敷設作業開始状態を示す要部拡大断面図である。
【図９】この発明の実施例１に係る便座シート自動敷設装置による便座シートの敷設作業完了状態を示す要部拡大断面図である。
【発明を実施するための形態】
【００１８】
以下、この発明の実施例を具体的に説明する。
【実施例】
【００１９】
図１〜図３において、１０はこの発明の実施例１に係る便座シート自動敷設装置で、この便座シート自動敷設装置は、洋式の便器１１の便座１２の着座面１２ａに便座シート１３を敷設し、使用後の便座シート１３を便器１１内に落とし込む装置である。以下、その構造を詳細に説明する。
便器１１はセラミックス製で、上端面に排便口である開口を有している。便器１１の後部上には、平面視して便器１１の左右方向へ長い矩形状の軸受けボックス１４が固定されている。軸受けボックス１４のうち、便器１１の幅方向の両端部には、図示しない軸孔が形成されている。両軸孔には、便蓋１５の元部のうち、便蓋１５の幅方向の両端から下方へ突出する連結片１５ｂの内面から突出した一対の短尺な便蓋用回動軸１６が挿入される。これにより、便座１２を塞ぐ便蓋１５が軸受けボックス１４に軸支される。また、軸受けボックス１４の内部には、軸受けボックス１４の前側の壁に形成された出し入れ口１７ａと連通する格納部１７が形成されている。格納部１７には、後述する便座１２の元側座部１８が、出し入れ口１７ａを介して出し入れ自在に格納される。
【００２０】
便蓋１５の便座１２側の面（裏面）とは反対側の面（表面）には、短冊状を有した多数枚の便座シート１３が収納される左右一対のシート収納部１９が、平面視して逆ハの字形（便器１１を前方から視て）に配設されている。両シート収納部１９は、開閉蓋２０ａ付きの収納箱２０と、コイルばね２１のばね力により、収納箱２０に収納された多数枚の便座シート１３を、常に便蓋１５方向へ付勢する押さえ板２２とを有している（図３および図４）。なお、各便座シート１３は、紙製の便座シート用カセット２３に入れて収納箱２０に納められている。すなわち、便座シート用カセット２３を利用してシート収納部１９に多数枚の便座シート１３を収納するので、便座シート１３の補充が簡単になるとともに、便座シート１３の保管や取り扱いも容易になる。
また、便蓋１５には、その表裏面を貫通して両シート収納部１９から便座シート１３を便座方向へ引き出す左右一対の引き出し口１５ａが形成されている。各引き出し口１５ａも、両シート収納部１９と同様に、平面視して逆ハの字形（便器１１を前方から視て）に配置されている。さらに、各便座シート用カセット２３には、引き出し口１５ａと対峙する部分に、それと同一形状の別の引き出し口２３ａが形成されている。便蓋１５の先端部には、便蓋１５の開閉が容易なように、取っ手２４が設けられている。便蓋１５は、取っ手２４を掴んで一対の便蓋用回動軸１６を中心にして開閉される。
【００２１】
次に、図５〜図９を参照して、便座１２を詳細に説明する。
便座１２は、全体の外観が平面視して略トライアングル形状の部材である。便座１２は、便器１１上を水平に往復走行する中空体の元側座部１８と、元側座部１８の先端部に、便座１２の幅方向へ延びた一対の水平軸２５を介して回動自在に連結され、着座面１２ａに多数の給排気孔２６が形成された中空体の先側座部２７とを有している。平面視した便座１２の中央部には、前記便器１１の開口と連通可能な内側空間ａが存在する。便座１２の内側空間ａの形成部分は、元側座部１８と先側座部２７とにより２分割されている。具体的には、先側座部２７には内側空間ａの形成部のうち、先部と中間部とを含む略３分の２が設けられ、元側座部１８には残りの略３分の１が設けられている。その結果、元側座部１８は、先端部が二股となった平面視して略コの字形状となり、先側座部２７は元側が二股となった平面視略Ｖ字形状となっている。
【００２２】
ここで、先側座部２７と元側座部１８との連結構造を説明する（図８および図９）。先側座部２７の二股形状の元部の両端板２７ａには、連結片２８が便座１２の幅方向へ離間して突設されている。両連結片２８は、その先端部が円弧形状にカットされ、その外周部に造り込みのギヤを構成する多数枚の外歯２９が周設されている。また、元側座部１８の二股をした先端部の上辺部分には、端板１８ａから着座板（上板）１８ｂにかけて合計２本の横向きＬ字スリット１８ｃが、前記各連結片２８との対峙部分に形成されている。各Ｌ字スリット１８ｃを通して元側座部１８の内側空間ａに挿入された各連結片２８は、元側座部１８の二股の先端部にそれぞれ横架された一対の水平軸２５に軸支される。こうして先側座部２７が元側座部１８に起伏自在に軸支される。
【００２３】
元側座部１８には、出し入れ口１７ａを通して、格納部１７から元側座部１８を水平に出し入れさせる元側走行手段３０が設けられている。元側走行手段３０は、元側座部１８の四隅に配置された二対の車輪３１と、元側座部１８の先端部（先側座部２７との軸支部分）に配設された一対の車輪３１を個別に同期回転させる一対の走行モータ３２とを有している。
また、元側座部１８には、元側座部１８の出し入れ口１７ａからの突出に連動し、一対の水平軸２５を中心にして先側座部２７を便蓋１５に当接するまで回動させるとともに、元側座部１８の格納部１７への格納に連動し、水平軸２５を中心にして先側座部２７を便器１１に当接するまで回動させる先側回動手段３３が設けられている。先側回動手段３３は、前記両走行モータ３２と、両走行モータ３２の回転力を各車輪３１の回転軸３４に伝達するギヤ式の動力伝達構造体３５とを有している。実施例１では、これらの走行モータ３２が、元側走行手段３０の回転駆動部と先側回動手段３３の回転駆動部とを兼用している。なお、元側座部１８の元部上には抜け止めストッパ５０が突設されている。元側座部１８の突出時、抜け止めストッパ５０が、格納部１７の出し入れ口１７ａの形成部付近に設けられた図示しないストッパ掛止突起に掛止されることで、元側座部１８の格納部１７からの抜け落ちが防止される。
【００２４】
両走行モータ３２は、出力軸の長さ方向を元側座部１８の幅方向に向けて、元側座部１８の先端部にブラケットを介して固定されている。各出力軸の先端部には、上部が前記外歯２９と噛合する小径な駆動ギヤ３６が固着されている。
動力伝達構造体３５は、元側座部１８の二股の先端部にそれぞれ水平状態で横架され、かつ外側の端部に前記車輪３１が固着された一対の回転軸３４を有している。両回転軸３４の外側の端部付近には、前記駆動ギヤ３６の下部に噛合する従動ギヤ３７が固着されている。両走行モータ３２が同期駆動し、各出力軸が同一回転速度で回転することで、両車輪３１が同一方向へ同一速度で回転する。これにより、元側座部１８が便器１１上を水平に移動するとともに、先側座部２７が両水平軸２５を中心にして、水平位置（便器１１への載置状態）と垂直位置（便蓋１５との当接状態）との間で回動する。
【００２５】
また、先側座部２７の各給排気孔２６の形成部には、吸引力または空気の吹き出し力で、引き出し口１５ａを通してシート収納部１９内の便座シート１３を着座面１２ａに吸着、または、便座シート１３を着座面１２ａから離脱させるシート着脱手段３８が設けられている。ここでいう先側座部２７の各給排気孔２６の形成部とは、先側座部２７の二股となった両側部分のうち、着座板（上板）２７ｂの幅方向の中間部全域である。
シート着脱手段３８は、先側座部２７の両側部分の内部空間に配置され、各給排気孔２６に連通された一対の給排気管３９と、両給排気管３９の元部に二股状の先端部が連通されたホース４０と、ホース４０の元部が連通された給排気装置４１とを有している。給排気装置４１は、空気を吹き出すファン機能と、各給排気孔２６内を負圧化する負圧発生機能とを有している。
元側走行手段３０、先側回動手段３３およびシート着脱手段３８は、図示しない制御装置により制御される。
【００２６】
制御装置による給排気装置４１の給排気制御は、以下の通りである。すなわち、便器１１の使用時には、まず軸受けボックス１４に固定された操作パネル４２の使用開始ボタンを押すことで、起立した先側座部２７が便器１１側へ回動を開始する直前に、給排気装置４１が負圧発生側へ作動される。これにより、各給排気孔２６内が負圧化される。この負圧状態は、用便後に先側座部２７が起立開始する直前まで継続される。なお、操作パネル４２に設けられた各種のスイッチのうち、便座１２の作動スイッチを、便蓋１５の先端部（起立時の上端部）の便座側の面に設けてもよい。用便後は、操作パネル４２の便器洗浄ボタンを押すことで便器１１の水洗が行われるが、それと同時に給排気装置４１が空気吹き出し側へ作動し、各給排気孔２６から空気が吹き出される。これにより、便座シート１３が先側座部２７の着座面１２ａから吹き上げられる。この空気の吹き出しは、先側座部２７が便蓋１５の裏面に当接する直前まで継続され、その後、給排気装置４１は停止する。
【００２７】
次に、この発明の実施例１に係る便座シート自動敷設装置の作用を説明する。
図１および図６に示すように、ここで、便蓋１５の待機姿勢は、便蓋１５が略垂直に起立した状態をいう。また、便座１２の待機姿勢は、元側座部１８が格納部１７に格納され、かつ先側座部２７が略垂直に起立して便蓋１５の内面に当接した状態とする。
便器使用時には、操作パネル４２の使用開始ボタンを押し、給排気装置４１を負圧発生側に作動させる。なお、使用開始ボタンを押さなくても、対人センサまたはリモコンにより使用開始してもよい。これにより、各給排気孔２６内が負圧化され、便蓋１５の左右一対の引き出し口１５ａと、両便座シート用カセット２３に形成された別の引き出し口２３ａとを通して、両シート収納部１９に収納された便座シート１３のうち、最も便蓋側の便座シート１３が先側座部２７の着座面１２ａに吸着される。
【００２８】
次に、この状態のまま、両走行モータ３２の出力軸が元側座部１８の前進側へ回転する。これにより、両駆動ギヤ３６、両従動ギヤ３７および両回転軸３４を介して、駆動側の両車輪３１が元側座部１８の前進側へ回転し、元側座部１８が格納部１７の出し入れ口１７ａを通して便器１１上へ移動する。これと同時に、両駆動ギヤ３６、両外歯２９および両連結片２８を介して、起立状態の先側座部２７が水平軸２５を中心にして水平となるまで略９０°回動（下方回動）する。これらの動作は、両便座シート１３が先側座部２７の着座面１２ａに吸着されたまま行われる。そのため、両便座シート用カセット２３内の最も便蓋１５側の便座シート１３が、両シート収納部１９から引き出されて先側座部２７の着座面１２ａに敷設される。この状態のまま、元側座部１８と先側座部２７とが１枚板状に組み立てられた便座１２が、便器１１の上縁部に載置される。こうして、両便座シート１３が敷設された便座１２の便器１１へのセットが完了する。
【００２９】
その後、使用者が便座１２に着座して用便する。
用便後は、操作パネル４２の便器洗浄ボタンを押す。なお、便器洗浄ボタンを押さなくても、使用後、タイマ制御により自動的に便器１１内を洗浄するようにしてもよい。便器１１内の水洗と同時に、給排気装置４１が空気吹き出し側へ作動し、各給排気孔２６から空気が吹き出される。これにより、便座シート１３が先側座部２７の着座面１２ａから吹き上げられる。この状態を維持して、両走行モータ３２の出力軸を元側座部１８の後退側へ回転させる。これにより、両駆動ギヤ３６、両従動ギヤ３７および両回転軸３４を介して、駆動側の両車輪３１が元側座部１８の後退側へ回転する。その結果、元側座部１８が出し入れ口１７ａを通して格納部１７に徐々に格納される。これと同時に、両駆動ギヤ３６、両外歯２９および両連結片２８を介して、起立状態の先側座部２７が水平軸２５を中心にして略垂直となるまで略９０°回動（上方回動）する。
【００３０】
この途中、先側座部２７の着座面１２ａ上で吹き上げられた両便座シート１３は、先側座部２７の上方回動（先側座部２７の折り畳み）に伴い、先側座部２７の着座面１２ａに沿って便座１２の内側空間ａへ滑り落ち、便器１１内へ落とし込まれる。これにより、便座１２の着座面１２ａに貼り付いた便座シート１３でも、着座面１２ａから便座シート１３が剥がれて便器１１内に落下し易い。空気の吹き出しは、先側座部２７が便蓋１５の裏面に当接する直前まで継続され、その後、先側座部２７が便蓋１５の裏面に当接することで給排気装置４１は停止する。
【００３１】
このように、便座１２を元側座部１８と先側座部２７とからなるものとしたので、便座１２をコンパクトに収納でき、かつ、便座１２の回動部分が先側座部２７のみで軽量化するため、長期間使用しても、便座１２の軸支部分に疲労破壊などの損傷が発生し難い。しかも、使用待機時には起立状態の先側座部２７によって便蓋１５の両引き出し口１５ａが塞がれるので、男子の小用時に小便の飛沫が引き出し口１５ａから侵入し、便座シート１３を汚すことがない。
また、シート収納部１９を、便蓋１５の便座１２が当接する面とは反対側の面に設けたので、便蓋１５の便座１２が当接する面にシート収納部を設けた従来品の場合に比べて、シート収納部１９を大型化し、多量の便座シート１３をストックすることができる。しかも、便蓋１５の便座１２が当接する面にシート収納部１９を設けた場合のように、便座着座時において、隆起したシート収納部１９に背中が当たらず、違和感がない。
また、便座１２の内側空間ａの形成部分が、元側座部１８と先側座部２７とにより２分割されているので、先側座部２７に沿って滑り落ちる両便座シート１３を確実に便座１２の内側空間ａから便器１１内へ落とし込むことができる。さらに、先側回動手段３３の回動駆動部として元側走行手段３０の走行モータ３２を採用したので、先側回動手段３３専用の駆動部が不要となり、省スペース化および低コスト化を図ることができる。
【産業上の利用可能性】
【００３２】
この発明は、便器の自動水洗機能を搭載した洋式便器、臀部の衛生洗浄装置（ウォシュレット（登録商標））を搭載した洋式便器や、これらの機能を搭載していない洋式便器において、便座シートを便座に自動敷設する装置として有用である。
【符号の説明】
【００３３】
１０  便座シート自動敷設装置、
１１  便器、
１２  便座、
１２ａ  着座面、
１３  便座シート、
１４  軸受けボックス、
１５  便蓋、
１５ａ  引き出し口、
１７  格納部、
１７ａ  出し入れ口、
１８  元側座部、
１９  シート収納部、
２５  水平軸、
２６  給排気孔、
２７  先側座部、
３０  元側走行手段、
３１  車輪、
３２  走行モータ、
３３  先側回動手段、
３８  シート着脱手段
ａ  内側空間。
【図１】
2011019844.tif 000003
【図２】
2011019844.tif 000004
【図３】
2011019844.tif 000005
【図４】
2011019844.tif 000006
【図５】
2011019844.tif 000007
【図６】
2011019844.tif 000008
【図７】
2011019844.tif 000009
【図８】
2011019844.tif 000010
【図９】
2011019844.tif 000011